(57)【特許請求の範囲】
【請求項１】
紡機のスピンドルに動力を伝達するベルトに対し、一対の揺動レバー先端部にそれぞれ軸支された各テンションローラをスプリングの付勢力によって押圧させることにより、前記ベルトの走行方向に対応してテンションを付与するように構成された紡機用ダブルテンション装置において、
プレス加工によって長方形箱状のケースを形成し、プレス加工によって形成された一対の揺動レバーを、それぞれ前記スプリングで付勢された状態で前記ケース内の長手方向両側に軸支させるとともに、前記揺動レバーの揺動支点部分に該揺動レバーの横振れ防止部材を取り付け前記揺動レバーと一体化してなることを特徴とする紡機用ダブルテンション装置。
【請求項２】
前記横振れ防止部材がブッシュからなり、その胴部外壁に前記スプリングが巻回されている請求項１記載の紡機用ダブルテンション装置。
【発明の詳細な説明】
【０００１】
【発明の属する技術分野】
本発明は紡機用ダブルテンション装置に関し、より詳しくは、撚糸機や精紡機等のスピンドルに動力を伝達するベルトに対しテンションを付与する紡機用ダブルテンション装置に関するものである。
【０００２】
【従来の技術】
従来、リング精紡機のスピンドルは、スピンドル間に張架されたベルトによって４錘が連動回転するように構成されており、そのベルト走行機構には、走行中のベルトに対してテンションを付与するためのテンション装置が備えられている。この種のテンション装置において、スピンドルの回転方向が一方向のみである、例えばＺ撚りのみ行う構成には１つのテンションローラからなるテンション装置が備えられる。一方、スピンドルの回転方向を切り換える、すなわちＺ撚りとＳ撚りの双方を実施できる構成においては、ベルトを走行させるための駆動プーリの入側及び出側のそれぞれにテンションローラを配置したいわゆるダブルテンション装置が備えられる。
【０００３】
詳しく説明すると、上記ダブルテンション装置は、一対の揺動レバーがそれぞれコイルばねによって付勢された状態で、ダイキャスト製の長方形箱状ケースの両端部にピンを用いて軸支されており、各揺動レバーの先端部にはそれぞれテンションローラが軸支されている。一方、ベルトは上記各テンションローラと接触しながら走行するように配置され、一方のテンションローラはＺ撚り時において走行するベルトの緩みを吸収し、他方のテンションローラはＳ撚り時において走行するベルトの緩みを吸収するようになっている。
【０００４】
【発明が解決しようとする課題】
しかしながら、従来のダブルテンション装置において各揺動レバーが軸支されるケースについては所定の強度が得られるよう、また、各揺動レバーについてもボス部及びそれから複雑に延長するレバーを一体で構成するために、通常、ダイキャスト製品で構成されているため、仕上げ工程を必要とすることから製造工程が多くなり、結果としてダブルテンション装置のコストが高くなるという問題があった。
【０００５】
本発明は以上のような従来のダブルテンション装置の課題を考慮してなされたものであり、製造が容易であり装置のコストを低減させることのできる紡機用ダブルテンション装置を提供するものである。
【０００６】
【課題を解決するための手段】
本発明は、紡機のスピンドルに動力を伝達するベルトに対し、一対の揺動レバー先端部にそれぞれ軸支された各テンションローラをスプリングの付勢力によって押圧させることにより、ベルトの走行方向に対応してテンションを付与するように構成された紡機用ダブルテンション装置において、プレス加工によって長方形箱状のケースを形成し、プレス加工によって形成された一対の揺動レバーを、それぞれスプリングで付勢された状態でケース内の長手方向両側に軸支させるとともに、揺動レバーの揺動支点部分に該揺動レバーの横振れ防止部材を取り付け揺動レバーと一体化してなる紡機用ダブルテンション装置である。
【０００７】
本発明において、上記横振れ防止部材はブッシュで構成することができ、ブッシュの胴部外壁にはスプリングを巻回することができる。
【０００８】
【発明の実施の形態】
以下、図面に示した好ましい実施の形態に基づいて本発明を詳細に説明する。図１は、本発明の一実施形態を示すダブルテンション装置を示したものであり、同図（  ａ）  は正面図を示し、同図（  ｂ）  は底面図を示している。なお、同図（  ｂ）  の一部切欠き部分は、同図（  ａ）  のＢ−Ｂ矢視断面を示している。
【０００９】
同図に示すダブルテンション装置１は、リング精紡機のスピンドルを回転させるベルトＶに適度なテンションを与えるためのものである。上記ベルトＶは、図示しない駆動プーリを周回した後、右側に配置されているテンションローラと接触して矢印Ａ方向に走行し、４錘の各スピンドルを連動回転させ、左側に配置されているテンションローラを経由して上記駆動プーリに戻るように各機械要素間に張架されている。
【００１０】
上記ベルトＶが上記矢印Ａ方向に走行する場合はＺ撚りが行われることになる。一方、Ｓ撚りを行う場合には、駆動プーリの回転方向を逆転させ、ベルトＶの走行方向を矢印Ａ方向とは逆の方向に走行させる。このように、ダブルテンション装置は、切り換えられるベルトＶ走行方向に対応していずれの場合もテンションを付与できるよう一対のテンションロールが備えられている。
【００１１】
以下、ダブルテンション装置１の各部の構成について説明する。ダブルテンション装置１は、厚さ２．６ｍｍの鋼板を断面がコ字状であり且つ長方形箱状にプレス成形したケース２と、そのケース２内の長手方向両側に軸支され、厚さ３．２ｍｍからなる一対の揺動レバー３，４と、その揺動レバー３，４の先端部に軸支されたテンションローラ５，６と、揺動レバー３，４を閉じる方向に付勢するコイルスプリング７，８とから主として構成されている。
【００１２】
ケース２において、平行する正面２ａ，背面２ｂと左側面２ｃとは、切断線Ｌ１  ，Ｌ２  を接合することによって袋状に組み立てられ、また、正面２ａ，背面２ｂと右側面２ｄとは、切目Ｌ３  ，Ｌ４  を接合することによって袋状に組み立てられ、全体として長方形箱状に成形されている。なお、各切断線はＬ１  〜Ｌ４  は、揺動レバー３，４が当接することになる側面に配置しないことが好ましい。
【００１３】
正面２ａ及び背面２ｂの中央下縁には台形状の切欠き２ａ´，  ２ｂ´（手前側のみ図示）が形成されている。この切欠き２ａ´，  ２ｂ´は、ダブルテンション装置１を固定するための支持シャフト９に形成されている位置決め用の切欠き９ａと係合するようになっている。Ｕボルト１０は支持シャフト９胴部を抱いた状態でそのねじ部をケース上面２ｅに形成された貫通孔２ｅ´から突出させるようになっており、突出したねじ部にはナット１１ａ，袋ナット１１ｂがそれぞれ螺合され、それによってケース２を支持シャフト９に位置決めし、固定することができるようになっている。
【００１４】
図１（  ｂ）  の切欠き部分に示すように、揺動レバー３はその揺動支点に貫通孔を備え、その貫通孔内にまず、大径部と小径部とを有するブッシュ１２ａの小径部が嵌合され、その小径部に対してさらにブッシュ１２ｂが外側から圧入され、それにより揺動レバー３はブッシュ１２ａ，  １２ｂと一体化される。上記ブッシュ１２ａ，１２ｂは揺動レバー３の横振れ防止部材とみなすことができる。このブッシュ１２ａ，  １２ｂを挿通した状態でコイルスプリング７が装着され、これらをケース２内に収納し、ピン１３を打ち込むことによって揺動レバー３がケース２に対して揺動可能に軸支される。この状態でコイルスプリング７の一方端はケース２の内側側面と当接し、他方端は揺動レバー３における突起３ａと係止されている。従って、揺動レバー３はコイルスプリング７によって矢印Ｃ方向（図１（  ａ）  参照）に付勢され、突起３ａとケース２上面２ｅの内壁とが当接する。
【００１５】
揺動レバー４は、揺動レバー３と左右対称に配置されている以外は揺動レバー３と同じ構成であり、それらの揺動レバー３，  ４の揺動範囲は、上記当接位置から図１中二点鎖線で示す位置までの範囲となる。なお、揺動レバー３，  ４にはその断面係数を高めるための凸条の補強部３ｂ，  ４ｂが形成されている。
次に、上記構成を有するダブルテンション装置の動作について説明する。
【００１６】
Ｚ撚りが行われる場合、駆動プーリが回転するとベルトＶが矢印Ａ方向に走行し、巻き取り側に配置されているテンションローラ５を走行しているベルトＶに引張力が働くため、コイルスプリング７の付勢力に抗してテンションローラ５は開く方向、すなわち矢印Ｃ方向とは逆の方向に振れ、一方、送り出し側に配置されているテンションローラ６を走行しているベルトＶについては緩みを吸収すべく、揺動レバー４は閉じる方向に振れる。
【００１７】
一方、Ｓ撚りが行われる場合、駆動プーリが回転するとベルトＶが矢印Ａ方向とは逆方向に走行し、巻き取り側に配置されているテンションローラ６を走行しているベルトＶに引張力が働くため、コイルスプリング８の付勢力に抗してテンションローラ６は開く方向、すなわち図１中二点鎖線位置に向けて振れ、一方、送り出し側に配置されているテンションローラ５を走行しているベルトＶについては緩みを吸収すべく、揺動レバー５が閉じる方向に振れる。
【００１８】
なお、本発明の横振れ防止部材は、上記実施形態ではブッシュで構成したが、これに限らず、ピン１３を回転軸とし揺動レバーを安定して揺動させることができるものであれば、任意の部材を使用することができる。
【００１９】
また、本発明においてダブルテンション装置が固定される支持シャフトは上記実施形態に示す支持シャフト９に限らず、例えば図２に示す六角形の断面を有するシャフト２０で構成することもでき、要するにダブルテンション装置のケース２を位置決めした状態で固定することができるものであれば任意の部材を使用することができる。なお、図２において図１と同じ構成要素については同一符号を付してその説明を省略している。
【００２０】
また、本発明は、上記した精紡機に限らず、撚糸機等のスピンドルに動力を伝達するベルトのテンション装置、或いは紡機において双方向に走行する任意の動力伝達用ベルトのテンション装置として適用することもできる。
【００２１】
【発明の効果】
以上説明したことから明らかなように、本発明のダブルテンション装置によれば、プレス加工によって製造が容易になるため、装置のコストを大幅に低減させることができるという長所を有する。
【図面の簡単な説明】
【図１】本発明に係るダブルテンション装置の一実施形態を示す説明図である。
【図２】本発明に係る支持シャフトの他の形態を示す正面図である。
【符号の説明】
１  ダブルテンション装置
２  ケース
３，  ４  揺動レバー
５，  ６  テンションローラ
７，  ８  コイルスプリング
９  支持シャフト
１０  Ｕボルト
【図１】
0003587277.tif 000002
【図２】
0003587277.tif 000003